【事件の表示】
　平成１１年特許願第２７３２４１号「プリンタ付電子秤」拒絶査定不服審判事件〔平成１３年　４月１３日出願公開、特開２００１−１０１５２９号〕について、次のとおり審決する。
【結　論】
　本件審判の請求は、成り立たない。
【理　由】
１．手続の経緯
　本願は、平成１１年９月２７日の出願であって、平成１７年１２月８日付けで拒絶査定がなされ、これに対して、請求人により平成１８年１月１２日に拒絶査定不服審判の請求がなされた。その後、当審により平成２０年１月１６日付けで拒絶理由が通知され、これに対して、請求人により同年３月１４日付けで意見書が提出されるとともに、同日付けで手続補正がなされたものである。
　
２．本願発明 
　本願の請求項１に係る発明（以下、「本願発明」という。）は、平成２０年３月１４日付けの手続補正によって補正された明細書の特許請求の範囲の請求項１に記載された事項により特定される次のとおりのものである。 
　　
「タッチパネルからなる表示部と、
商品の重量を測定する計量部と、各商品に対応させて少なくとも商品の単価を含む商品情報を記憶する商品情報記憶部と、各商品に関するイメージデータを各商品に対応させて記憶するイメージデータ記憶部と、記憶された各イメージデータを読み出して前記表示部に表示するイメージデータ表示手段と、
表示されたイメージデータを指定する指定手段と、
前記計量部に商品を載置した状態で、その載置した商品に対応する前記イメージデータを指定すると、指定されたイメージデータに対応する商品の単価を含む商品情報を前記商品情報記憶部から読み出して前記イメージデータと共に前記表示部のタッチパネル上に合わせて表示する商品情報表示手段と、
読み出された単価と前記計量部により測定された商品の重量とに基づき商品の価格を算出し、当該価格をラベルに印字して発行するプリンタと、を備えたことを特徴とするプリンタ付電子秤。」　
　　　 
３．引用文献の記載事項
　当審における平成２０年１月１６日付けの拒絶理由に引用された特開昭６３−２３８４３１号公報（以下、「引用例１」という。）には、図面と共に、次の事項が記載されている。
　　　
ア．「袋づめして計量される商品名を選択するプリセットキーからの信号が入力されると共に、計量された商品の計量データから価格等を演算する制御部と、所定の商品データをラベルに印字するプリンタを有する計量装置において、商品が投入された袋の開口部を封止するバックシーラーを計量装置に接続し、該袋の開口部を封止したときに生ずるバックシーラーからの信号により、上記ラベルを自動的に発行することを特徴とする計量装置。」（特許請求の範囲の記載） 
　　 
イ．「第６図は、本発明が適用される計量装置、例えば電子秤の一例を示す外観図である。図に示すように、電子秤１は本体ケース２と該ケース２の上方に配備された計量皿３とを有すると共に、ケース２の前面上部には単価、重量、価格をそれぞれデジタル表示する表示部４・・・４が設けられ、且つ該前面の下部には操作盤５が前方に突出させて設けられている。この操作盤５の盤面５ａには、単価や風袋重量等の商品データが或は商品の呼び出しコード等を入力するためのテンキー６・・・６や、商品データを各商品呼び出しコードに対応させて登録しておく場合等に使用される各種のファンクションキー７・・・７が配設されている。
　一方、図示しないが本体ケース２の内部には、上記計量皿３に載置された商品の重量を計量する計量部と、該計量部で得られた重量値と上記操作盤５のキー操作によって入力され或は呼び出された単価等の商品データとから当該商品の価格を算出すると共に、この価格、単価及び重量を上記各表示部４・・・４に表示させる制御部とが備えられている。更に、該ケース２内の一側部はラベル発行部とされ、上記制御部から送られてくる価格等を示す信号と後述するバックシーラーによる信号とを受けて価格等をラベルＸにプリントし、これをケース前面８の窓９から外部に発行するラベルプリンタ１０が内装されている。」（第２頁右上欄１９行〜右下欄４行） 
　　
ウ．「上記の構成によれば、第６図に示すようにキーボードカバー１１を電子秤１の操作盤５から取外した状態では、該操作盤５の盤面５ａに配設されたキー６・・・６、７・・・７の全てを操作することができ、従って該電子秤１を多数の異種商品について使用することが可能となる。つまり、計量する商品に応じてテンキー６・・・６やファンクションキー７・・・７を用いて単価や風袋重量等の商品データを入力し、或は各商品について商品データが予め登録されている場合は計量する商品の呼び出しコードを入力することにより単価等の商品データを呼び出し、該商品の単価と、計量重量値と、これらに基づいて算出される価格とが表示部４・・・４にそれぞれ表示される。」（第３頁左上欄５〜１８行） 
　　
エ．「第１図は、本発明の全体構成を示す外観図である。図に示すように、第６図で説明した構成の電子秤Ｂに、袋閉じ機（バックシーラー）Ａと、計量する商品の図柄を表示したプリセットキーＣを接続する。電子秤Ｂによるラベル発行のタイミングは、バックシーラーＡからの信号により、即ち、顧客が商品を計量した後に、被計量物を投入した袋の開口部をバックシーラーＡにより閉止したことを確認してから、ラベルを発行するものである。
　次に、本発明によるキーボードカバーの表示内容イについて、第２図、第３図により説明する。
　本発明においては、キーボードカバーには、顧客の操作手順を表示しておくものであり、この操作手順は、次のように設定されている。
（１）「お求めの商品を袋にお入れください」
（２）「右の商品ボタン（袋に入れた商品に対応するプリセットキーの図柄が表示されているボタン）を押して、商品を（計量）皿にのせて下さい」
（３）「シーラーで袋の口を閉じて下さい」
（４）「もう一度商品を皿にのせてください」
（５）「出てきたラベルを袋にはってください」
（６）「商品をレジにて御会計ください」
以上、（１）〜（６）の手順により顧客は一連の計量、ラベル発行の処理を行う。」（第３頁右上欄１０行〜左下欄第１５行）
　　　
オ．上記記載事項「イ」乃至「エ」、及び、第１図からみて、引用例に記載の「電子秤１」は、各商品の図柄が表示されている「商品ボタン」を備えた「プリセットキーＣ」を備え、「計量皿３」に載置され計量されている商品に対して、対応する商品の図柄が表示されている前記商品ボタンを選択すると、選択された図柄に対応する単価を含む商品データが商品データと対応づけられた呼び出しコードにより呼び出され、前記「計量部」により計量している商品の重量値と前記単価に基いて算出される商品の価格を「表示部４・・・４」に表示する手段を備え、当該商品の価格を「ラベルＸ」にプリントする「ラベルプリンタ１０」を備えたものといえる。
　　
　これらの記載事項を総合し、本願発明の記載ぶりに則って整理すると引用例１には、次の発明（以下、「引用発明」という。）が記載されている。 
　　
「商品の価格、単価及び重量をデジタル表示する表示部４・・・４と、
計量皿３に載置された商品の重量を計量する計量部と、
予め各商品に対応させて登録されている単価を含む商品データと、これら商品データと各商品の呼び出しコードとが対応付けて登録される手段と、
各商品の図柄が表示されている商品ボタンを備えたプリセットキーＣと、
前記計量皿３に載置され計量されている商品に対して、対応する商品の図柄が表示されている前記商品ボタンを選択すると、選択された図柄に対応する単価を含む商品データが商品データと対応づけられた呼び出しコードにより呼び出され、前記計量皿３に載置され計量される商品の重量値と前記単価に基いて算出される商品の価格を表示部４・・・４に表示する手段を備え、当該商品の価格をラベルＸにプリントするラベルプリンタ１０を備えた電子秤１。」 
　　
　同じく、当審における平成２０年１月１６日付けの拒絶理由に引用された特開平５−１９７７３０号公報（以下、「引用例２」という）には、次の事項が記載されている。 
　　
カ．「本発明は飲食店用商品表示装置および注文システムに関し、特に自然画像による商品メニュー表示を行う商品注文システムに関する。」（段落番号第【０００１】） 
　　　
キ．「図１によって商品表示装置の構成を説明する。カラーＣＲＴの商品メニュー表示部２は商品メニューなどを表示する。商品メニュー表示部２上に設置されたタッチパネル３は表示に従って選択操作されて入力する。磁気ディスクを用いたデータファイル部５は文字および自然画像を格納する。画像処理部４はタッチパネル３によって選択されてデータファイル部５から取り出された商品の自然画像を、商品メニュー表示部２に表示させる。制御部６は以上の各部を制御し実行させる。  図２の商品注文システムの第１の実施例によって注文システムの構成を説明する。商品注文装置１ａに示す商品メニュー表示部２，タッチパネル３，画像処理部４，データファイル部５，制御部６は前記図１の商品表示装置における構成と同じである。・・・（後略）」（段落【００１６】）
　　
ク．「まず客は商品メニューを表示させる。客はこのメニュー種別の中から１つを選択し、タッチパネル３から入力する（ここでは“肉料理”を選択）。メニュー種別が選択されると制御部６は選択された“肉料理”の商品メニューの自然画像データをデータファイル部５の磁気ディスクから読み出して画像処理部４へ送るとともに、その自然画像の表示位置と表示サイズを指定する。画像処理部４は制御部６から送られた自然画像データを指定のサイズと位置で商品メニュー表示部２に表示させる。表示する商品メニューが複数ある時は、この動作を繰り返す（ここでは４種類表示）。その結果Ｂのような商品メニュー画面がカラーＣＲＴの商品メニュー表示部２に表示される。・・・（中略）・・・次に商品を注文する。一例としてＢの商品メニュー表示画面において、客が“ハンバーグ”を注文したい場合、商品メニュー表示部２の“ハンバーグ”の部分を押すと、タッチパネル３よりデータが入力され、制御部６は“ハンバーグ”が選択されたことを記憶する。・・・（後略）」（段落【００１９】乃至【００２０】）
 　　
ケ．図６．Ｂには、商品メニュー表示画面に、複数の商品メニューの自然画像データとともに、商品名、価格が表示される様子が図示されている。
　
４．対比・判断 
　本願発明と引用発明とを対比すると、後者における「表示部４・・・４」は、その構成・機能からみて、前者の「表示部」に相当し、同様に「計量皿３に載置された商品の重量を計量する計量部」は「商品の重量を測定する計量部」に、「予め各商品に対応させて登録されている単価を含む商品データ」は「各商品に対応させて少なくとも商品の単価を含む商品情報」に、「プリセットキーＣ」は「指定手段」に、「商品の価格をラベルＸにプリントするラベルプリンタ１０」は「価格をラベルに印字して発行するプリンタ」に、「電子秤１」は「プリンタ付電子秤」にそれぞれ相当する。 
　　
　また、引用発明は、「予め各商品に対応させて登録されている単価を含む商品データと、これら商品データと各商品の呼び出しコードとが対応付けて登録」される手段を備えているから、本願発明の「各商品に対応させて少なくとも商品の単価を含む商品情報を記憶する商品情報記憶部」を備えているといえる。
　
　また、引用発明の「各商品の図柄が表示されている商品ボタンを備えたプリセットキーＣ」と本願発明の「表示されたイメージデータを指定する指定手段」とは、「表示されたイメージを指定する指定手段」という概念で共通している。
　また、引用発明の「前記計量皿３に載置され計量されている商品に対して、対応する商品の図柄が表示されている前記商品ボタンを選択する」と本願発明の「前記計量部に商品を載置した状態で、その載置した商品に対応する前記イメージデータを指定する」とは、「前記計量部に商品を載置した状態で、その載置した商品に対応する表示されたイメージを指定する」という概念で共通する。
　
　また、引用発明の「選択された図柄に対応する単価を含む商品データが商品データと対応づけられた呼び出しコードにより呼び出され、前記計量皿３に載置され計量される商品の重量値と前記単価に基いて算出される商品の価格を表示部４・・・４に表示する手段」と本願発明の「指定されたイメージデータに対応する商品の単価を含む商品情報を前記商品情報記憶部から読み出して前記イメージデータと共に前記表示部のタッチパネル上に合わせて表示する商品情報表示手段」とは、「指定されたイメージに対応する単価を含む商品情報を前記商品情報記憶部から読み出して前記表示部に表示する商品情報表示手段」という概念で共通する。
　
  また、引用発明の「選択された図柄に対応する単価を含む商品データが商品データと対応づけられた呼び出しコードにより呼び出され、前記計量皿３に載置され計量される商品の重量値と前記単価に基いて算出される商品の価格を表示部４・・・４に表示する手段」を備えているから、引用発明も、本願発明の「読み出された単価と前記計量部により測定された商品の重量とに基づき商品の価格を算出」する点を備えているといえる。
　　
　したがって、本願発明と引用発明とは、次の点で一致する。 
（一致点） 
「表示部と、
商品の重量を測定する計量部と、
各商品に対応させて少なくとも商品の単価を含む商品情報を記憶する商品情報記憶部と、
表示されたイメージを指定する指定手段と、
前記計量部に商品を載置した状態で、その載置した商品に対応する表示されたイメージを指定すると、指定されたイメージに対応する単価を含む商品情報を前記商品情報記憶部から読み出して前記表示部に表示する商品情報表示手段と、
読み出された単価と前記計量部により測定された商品の重量とに基づき商品の価格を算出し、当該価格をラベルに印字して発行するプリンタと、を備えたプリンタ付電子秤。」
　
　そして、両者は次の点で相違している。 
　
（相違点１） 
　本願発明の表示部がタッチパネルであるのに対し、引用発明の表示部（表示部４・・・４）は、タッチパネルではない点。
　
（相違点２）
　本願発明は、各商品に関するイメージデータを各商品に対応させて記憶するイメージデータ記憶部と、記憶された各イメージデータを読み出して前記表示部に表示するイメージデータ表示手段と、表示されたイメージデータを指定する指定手段と、前記計量部に商品を載置した状態で、その載置した商品に対応する前記イメージデータを指定すると、指定されたイメージデータに対応する商品の単価を含む商品情報を前記商品情報記憶部から読み出して前記イメージデータと共に前記表示部のタッチパネル上に合わせて表示する商品情報表示手段を備えているのに対し、引用発明は、そのような構成を備えていない点。
　　
　以下、上記相違点について検討する。 
　
相違点１について、
　引用例２の上記記載事項「キ．」の「図１によって商品表示装置の構成を説明する。カラーＣＲＴの商品メニュー表示部２は商品メニューなどを表示する。商品メニュー表示部２上に設置されたタッチパネル３は表示に従って選択操作されて入力する。」の記載から、引用例２には、使用者が商品を選択するための手段として、表示部をタッチパネルで構成する点が示されており、当業者であれば、引用例１の「表示部４・・・４」に、上記引用例２に記載の「タッチパネル３」の構成を採用し、上記相違点１に係る本願発明特定事項とすることは容易に想到し得たことである。
 
相違点２について、
　引用例２の上記記載事項「カ．」ないし「ケ．」からみて引用例２には、データファイル部５に格納されている商品メニューの自然画像を読み出して、これら読み出した商品メニューの自然画像とともに、商品名、価格が表示部２上に設置されたタッチパネル３に表示され、利用者（客）が、タッチパネルに表示された複数の商品メニューの自然画像の中から選択して指定し、指定された情報は制御部６に記憶される点が記載されている。
　ここで、本願発明と上記引用例２の記載事項を対比すると、後者における「データフィル部５」は、その構成・機能からみて、前者の「各商品に関するイメージデータを各商品に対応させて記憶するイメージデータ記憶部」及び「商品情報記憶部」に相当し、同様に「タッチパネル３」は「記憶された各イメージデータを読み出して前記表示部に表示するイメージデータ表示手段」、「表示されたイメージデータを指定する指定手段」及び「前記イメージデータを指定すると、指定されたイメージデータに対応する商品の単価を含む商品情報を前記商品情報記憶部から読み出して前記イメージデータと共に前記表示部のタッチパネル上に合わせて表示する商品情報表示手段」に相当しているといえる。
　また、引用発明と引用例２に記載された事項も利用者が複数の商品の中から、特定の商品を表示されたイメージで選択する点で共通しているから、引用発明の各商品の図柄が表示されている商品ボタンを備えたプリセットキーＣによる商品の選択を行う点に変えて、引用例２に記載されたタッチパネルに表示される商品メニューの自然画像から特定の商品選択する点を採用し、上記相違点２に係る本願発明の特定事項とすることは、当業者であれば容易に想到し得たことである。 
　
　また、本願発明による効果も、引用発明および引用例２に記載された事項に基いて当業者が予測し得る範囲内のものであって、格別のものとはいえない。 
　 
５．むすび 
　したがって、本願発明は、引用発明および引用例２に記載された事項に基いて当業者が容易に発明をすることができたものであるので、特許法第２９条第２項の規定により特許を受けることができない。 
　
　よって、結論のとおり審決する。